(57)【要約】【課題】  収容部に充填された液剤が無駄になる虞の少ない包装袋を提供することを課題とする。【解決手段】  着され且つ該シール接着部に囲繞された複数の液剤収容部が形成されてなる包装袋であって、  前記シール接着部には、シール強度が１〜１５Ｎ／１５ｍｍで剥離可能な弱接着部が備えられ、  前記一対のフィルムの一方には、該弱接着部によってシール接着され且つフィルムの他の部位から亀裂して剥離されうる剥離部が備えられてなり、  前記剥離部の剥離により、それぞれ前記液剤収容部の一部に、内外を連通する開口部が形成されるように構成されてなることを特徴とする包装袋を提供する。【選択図】  図１
2007253975.tif 000002
【特許請求の範囲】
【請求項１】
積層された一対のフィルムを備え、該一対のフィルムがシール接着部（１）によって接着され且つ該シール接着部（１）に囲繞された複数の液剤収容部（３）が形成されてなる包装袋であって、
前記シール接着部（１）には、シール強度が１〜１５Ｎ／１５ｍｍで剥離可能な弱接着部（１ａ）が備えられ、
前記一対のフィルムの一方には、該弱接着部（１ａ）によってシール接着され且つフィルムの他の部位から亀裂して剥離されうる剥離部（５）が備えられてなり、
前記剥離部（５）の剥離により、それぞれ前記液剤収容部（３）の一部に、内外を連通する開口部（７）が形成されるように構成されてなることを特徴とする包装袋。
【請求項２】
前記剥離部（５）の備えられたフィルムが、該剥離部（５）の亀裂方向（Ｘ）に延伸されている一軸延伸フィルムである請求項１記載の包装袋。
【請求項３】
前記剥離部（５）は、帯状とされてなり、前記弱接着部（１ａ）は、該剥離部（５）の幅方向両側から中央部に向けて互いに収束し且つ剥離方向に傾斜するように延在する一対の傾斜延在部（１ａ１）と、該傾斜延在部（１ａ１）が収束した部位から幅方向中央部に沿って剥離方向に延在する中央延在部（１ａ２）とを備えている請求項１又は２記載の包装袋。
【発明の詳細な説明】
【技術分野】
【０００１】
本発明は、積層された一対のフィルムを備え、該一対のフィルムがシール接着部によって接着され且つ該シール接着部に囲繞された複数の液剤収容部が形成されてなる包装袋、例えば、種類の異なる２種の液剤の収容に用いられるペアパウチ包装袋に関する。
【背景技術】
【０００２】
従来、この種の包装袋としては、例えば、図６に示されるペアパウチ包装袋が知られている。
即ち、同図に示す如く、該ペアパウチ包装袋は、積層された表裏一対のフィルムを備え、該一対のフィルムが周縁部及び中間部のシール接着部５１によって接着され且つ該シール接着部５１に囲繞された２つの液剤収容部５２が形成されている。
【０００３】
斯かるペアパウチ包装袋は、側縁部のシール接着部５１にノッチ５３が形成されてなり、被収容液剤（通常、不織布等に含浸されて収容されている）を要する際には、ノッチ５３の両側のフィルムを互いに異なる方向（即ち、表方向と裏方向）に引っ張り、該ノッチ５３を亀裂起点として二つの液剤収容部５２を横断するように表裏一対のフィルムを引き裂き、２つの液剤収容部を開封するようにして使用されている。
【０００４】
しかしながら、上記従来の包装袋は、ノッチの両側のフィルムを互いに異なる方向に引っ張って表裏一対のフィルムを引き裂くと、引っ張りによって収容部内が圧迫されるため、収容されていた液剤が溢れ出てこぼれたりフィルム表面に付着したりするなど、多くの液剤が無駄になるという問題、特に、最初に開封された収容部に充填されていた液剤の多くが無駄になるという問題を有している。
【発明の開示】
【発明が解決しようとする課題】
【０００５】
本発明は、上記従来の問題点に鑑み、収容部に充填された液剤が無駄になる虞の少ない包装袋を提供することを課題とする。
【課題を解決するための手段】
【０００６】
上記課題を解決すべく、本発明は、積層された一対のフィルムを備え、該一対のフィルムがシール接着部によって接着され且つ該シール接着部に囲繞された複数の液剤収容部が形成されてなる包装袋であって、
前記シール接着部には、シール強度が１〜１５Ｎ／１５ｍｍで剥離可能な弱接着部が備えられ、
前記一対のフィルムの一方には、該弱接着部によってシール接着され且つフィルムの他の部位から亀裂して剥離されうる剥離部が備えられてなり、
前記剥離部の剥離により、それぞれ前記液剤収容部の一部に、内外を連通する開口部が形成されるように構成されてなることを特徴とする包装袋を提供する。
【０００７】
本発明に於いては、剥離部の備えられたフィルムを上方に配した状態で、剥離部を他の部位から亀裂させつつ剥離させることにより、収容部内の圧迫を抑制しつつ収容部を開封することができ、開封時に於ける収容部の圧迫に起因した液剤の溢れを抑制できる。
また、剥離部の剥離によって形成される開口部は、収容部の一部、即ち、収容部を構成するフィルムの一部に形成されることとなるため、収容部を構成するフィルムの一方の全てが剥離される構成のものに比して、開封後に液剤をこぼす虞も低減される。
【０００８】
また、本発明に於いては、前記剥離部の備えられたフィルムが、該剥離部の亀裂方向に延伸されている一軸延伸フィルムであるものが好ましい。
斯かる構成によれば、剥離部を延伸方向に沿って亀裂させつつ容易に剥離させることができる。
【０００９】
更に、本発明に於いては、前記剥離部が帯状とされてなり（即ち、剥離された片が帯状となるように構成されてなり）、前記弱接着部が、該剥離部の幅方向両側から中央部に向けて互いに収束し且つ剥離方向に傾斜するように延在する一対の傾斜延在部と、該傾斜延在部が収束した部位から幅方向中央部に沿って剥離方向に延在する中央延在部とを備えているものが好ましい。
斯かる構成によれば、剥離部を剥離する際に、剥離のために加えられる力が傾斜延在部によって中央部に収束されると共に中央延在部によって中央部に収束されたまま剥離を進行させることができることから、剥離のために加えられる力が左右に偏るようなことが抑制され、予定される剥離方向に沿って剥離部を確実に剥離させやすいという利点がある。
【発明の効果】
【００１０】
以上の通りであり、本発明の包装袋は、液剤収容部に充填された液剤が無駄になる虞の少ないものとなる。
【発明を実施するための最良の形態】
【００１１】
以下、本発明の実施の形態について図面を参照しつつ説明する。
図１、図２は本実施形態の包装袋を示す全面図である。
図１に示すように、本実施形態の包装袋は、一般にペアパウチと称されるものであり、積層された同一矩形状の一対のフィルムを備え、互いに液密に接着されたシール接着部１によって接着され且つ該シール接着部１に囲繞された２つの液剤収容部３が形成されてなる。
詳しくは、本実施形態の包装袋は、主として、一対のフィルムの周縁部に沿うように、更には、幅方向中間部を縦断するようにシール接着部１が形成され、２つの液剤収容部３が左右に形成されている。
【００１２】
前記包装袋の幅方向中間部の上下端部には、シール接着部１が内方に傾斜して凹入することにより、周縁部が非接着とされた非接着周縁部９が形成されてなる。尚、該非接着周縁部９の少なくとも一方には、片側のフィルム（図に於いては前面側のフィルム）に一対の切込４が形成されている。
【００１３】
前記シール接着部１は、主に剥離不能な程度に接着されてなるが、前記非接着周縁部９の内側に於いては、例えば他のシール接着部１よりも接着力が弱く、且つ剥離可能に接着（一般にイージーピールと称される）された弱接着部１ａを備えてなる。
【００１４】
前記一対のフィルムの一方（図１に於いては前面側）には、前記弱接着部１ａに接着され且つフィルムが亀裂して帯状に剥離する１つの剥離部５が備えられている。
前記剥離部５は、前記非接着周縁部９に形成された一対の切込４間のフィルムを引っ張ることにより、各切込４からフィルムの亀裂が進行して、切込４間の幅で帯状に剥離するように（即ち、剥離された片１３が帯状の形態を成すように）構成されてなる。
また、前記剥離部５は、各液剤収容部３を構成するフィルムの一部分にまで及ぶようになっており、図２に示すように、包装袋は、剥離部５を剥離することにより、液剤収容部３の一部に、内外を連通する開口部７が形成されるように構成されている。
更に、前記剥離部５を接着する弱接着部１ａは、該剥離部５の幅方向両側から中央部に向けて互いに収束し且つ剥離方向に傾斜するように延在する一対の傾斜延在部１ａ１と、該傾斜延在部１ａ１が収束した部位から剥離部５の幅方向中央部に沿って剥離方向に延在する中央延在部１ａ２とを備えており、略Ｙ字状の形態を成している。
【００１５】
前記一対のフィルムの内、少なくとも剥離部５の備えられた側のフィルムは、一軸延伸されてなり、延伸方向が前記剥離部５の亀裂の進行方向Ｘと平行となるように配されている。
【００１６】
尚、前記一対のフィルムとしては、通常、ポリエチレン、ポリプロピレン、ポリエチレンテレフタレート、ポリ塩化ビニル、ポリ塩化ビニリデン、エチレン酢酸ビニル共重合体、ポリアクリロニトリル、ポリアミド又はポリスチレン等の合成樹脂フィルム、又は、該合成樹脂フィルムとアルミニウム箔等の金属または紙などの積層体等が使用される。尚、一対のフィルムは同種のものであっても異種のものであってもよい。
【００１７】
前記液剤収容部３に充填される液剤としては、特に、限定されず、薬剤、化粧液等種々のものを挙げることができる。
これらの液剤は、そのまま充填されても良いし、不織布等に含浸された状態で充填されてもよい。
【００１８】
尚、本実施形態に於いて、前記シール接着部１（弱接着部１ａを除く）の接着強度は、特に限定されないが、通常、１６〜５０Ｎ／１５ｍｍに設定され、また、弱接着部１ａは、１〜１５Ｎ／１５ｍｍ、好ましくは３〜１０Ｎ／１５ｍｍに設定されている。ここで、接着強度は、ＪＩＳ  Ｚ０２３８におけるヒートシール強さ試験により測定されるヒートシール強さを意味する。
また、前記シール接着部１（弱接着部１ａを除く）は、通常、接着強度を高める薬剤を間に塗布することにより形成されている。尚、弱接着部１ａを除くシール接着部１は、通常、使用する薬剤を適宜選定すること等によって、所望の接着強度に調整される。更に、弱接着部１ａは、通常、薬剤を使用せず熱溶着のみによって形成されてなり、熱溶着時に温度や時間等を調整することにより所望の接着強度に調整される。
【００１９】
本実施形態に於ける薬液を充填した包装袋を製造するには、例えば、同一形状の一対の一軸延伸フィルムを延伸方向が所定の方向（剥離部５の亀裂方向Ｘ）となるように配して積層し、次いで、弱接着部１ａとなる部分を所定強度に接着し、該弱接着部１ａ以外のシール接着部１を開口部を残して所定強度に接着した後、開口部から液剤を充填し、次いで、開口部を所定強度に接着することにより、液剤収容部３を密封すればよい。
【００２０】
本実施形態に於いて、液剤等の充填された包装袋から液剤を取り出すには、先ず、図１に示すように、剥離部５側のフィルムを上方に向け、この状態で、非接着周縁部９の切込４間のフィルムを指で摘み、剥離する方向Ｘ（図１に於いては下方）に引っ張って剥離部５を剥離させる。次いで、図２に示すように、剥離部５の剥離によって形成された開口部７を通じて、各液剤収容部３から液剤等を取り出せばよい。
【００２１】
本実施形態に於いては、上記の如く、延伸方向と剥離部５の亀裂方向Ｘとが平行となるように一軸延伸フィルムが配されているので、亀裂が蛇行する虞が低減されたものとなる。また、剥離部５を接着する弱接着部１ａは、該剥離部５の幅方向両側から中央部に向けて互いに収束し且つ剥離方向に傾斜するように延在する一対の傾斜延在部１ａ１と、該傾斜延在部１ａ１が収束した部位から剥離部５の幅方向中央部に沿って剥離方向に延在する中央延在部１ａ２とを備えていることから、剥離のために加えられた力が傾斜延在部１ａ１及び中央延在部１ａ２によって左右に偏るようなことが抑制され、中央延在部１ａ２に沿って剥離部５を真っ直ぐに引っ張り易いという利点を有する。
【００２２】
本実施形態の包装袋は、上記の如く構成されたが、本発明の包装袋は、上記構成のみに限定されず、本発明の意図する範囲内で適宜設計変更可能である。
例えば、本実施形態の包装袋は、図１に示すように、１つの剥離部５を備えて構成されたが、本発明に於いては、例えば、図３や図４に示すように、２つの液剤収容部３のそれぞれに対応して２つの剥離部５を備えるものであっても良い。即ち、それぞれ１つの剥離部５を剥離させた場合には、対応する液剤収容部３のみに開口部７が形成されるように構成されていても良い。
【００２３】
また、本実施形態に於いては、幅方向の中間部にのみ非接着周縁部９が形成されたが、例えば、図５に示すように、非接着周縁部９が上縁部全域に形成されているものであっても良い。
【図面の簡単な説明】
【００２４】
【図１】一実施形態の包装袋に於ける開封前状態を示す全面図。
【図２】同実施形態の包装袋に於ける開封状態を示す全面図。
【図３】他実施形態の包装袋に於ける開封状態を示す全面図。
【図４】他実施形態の包装袋に於ける開封状態を示す全面図。
【図５】他実施形態の包装袋に於ける開封前状態を示す全面図。
【図６】従来の包装袋を示す正面図。
【符号の説明】
【００２５】
１・・・シール接着部、１ａ・・・弱接着部、３・・・液剤収容部、５・・・剥離部、７・・・開口部、
Ｘ・・・亀裂方向
【図１】
2007253975.tif 000003
【図２】
2007253975.tif 000004
【図３】
2007253975.tif 000005
【図４】
2007253975.tif 000006
【図５】
2007253975.tif 000007
【図６】
2007253975.tif 000008